(57)【特許請求の範囲】
【請求項１】
被照射物に照明光を照射する照明システムであって、
前記被照射物に直接又は間接的に取り付けられ、前記被照射物の属性情報が記憶されたＲＦタグと、
前記被照射物に照明光を照射する照明器具とを備え、
前記照明器具は、
照明光を発する光源と、
前記ＲＦタグに記憶された前記属性情報を読み出すＲＦタグリーダを有する通信部と、
前記ＲＦタグリーダを介して前記ＲＦタグから読み出した前記属性情報に基づいて、前記光源が発する照明光の調光、調色及び照射時間の少なくとも一つを制御する制御部とを有し、
前記通信部は、さらに、前記ＲＦタグに情報を書き込むＲＦタグライタを有し、
前記制御部は、前記ＲＦタグライタを介して、前記被照射物が置かれた状況に関する関連情報を前記ＲＦタグに書き込む
照明システム。
【請求項２】
前記制御部は、前記被照射物に照射した照明光の調光、調色及び照射時間の少なくとも一つを特定する情報を、前記関連情報として、前記ＲＦタグに書き込む
請求項１記載の照明システム。
【請求項３】
前記照明システムは、さらに、前記被照射物が置かれた環境の温度及び湿度の少なくとも一つを検知する検知部を備え、
前記制御部は、前記検知部によって検知された前記温度及び前記湿度の少なくとも一つを示す情報を、前記関連情報として、前記ＲＦタグに書き込む
請求項１又は２記載の照明システム。
【請求項４】
前記制御部は、前記ＲＦタグリーダを介して、前記ＲＦタグに記憶された前記属性情報及び前記関連情報を読み出し、読み出した前記属性情報及び前記関連情報に基づいて、前記光源が発する照明光の調光、調色及び照射時間の少なくとも一つを制御する
請求項１〜３のいずれか１項に記載の照明システム。
【請求項５】
前記制御部は、少なくとも前記属性情報に基づいて、前記光源が演出照明として予め定められた照明光、又は、生体反応照明として予め定められた照明光を発するように前記光源を制御する
請求項１〜４のいずれか１項に記載の照明システム。
【請求項６】
前記制御部は、少なくとも前記属性情報に基づいて、調光及び調色の少なくとも一つの時間変化で定義される複数の予め定められた照明パターンから選択した一つ照明パターンで前記光源が照明光を発するように前記光源を制御する
請求項１〜５のいずれか１項に記載の照明システム。
【請求項７】
前記照明システムは、さらに、前記被照射物が置かれた環境を調節する環境調節部を備え、
前記制御部は、さらに、前記環境調節部を制御する
請求項１〜６のいずれか１項に記載の照明システム。
【請求項８】
前記被照射物は、パレットに置かれた植物であり、
前記ＲＦタグは、前記パレットに取り付けられ、
前記属性情報は、少なくとも前記植物の種類を示す情報を含み、
前記制御部は、前記属性情報に基づいて、前記光源が発する照明光の調光及び調色の少なくとも一つと前記照明光の照射時間とを制御する
請求項１〜７のいずれか１項に記載の照明システム。
【請求項９】
前記被照射物は、衣服であり、
前記属性情報は、少なくとも前記衣服を着用するのに好ましい季節を示す情報を含み、
前記制御部は、前記季節として夏を示す情報が前記属性情報に含まれる場合には、寒色系の色として予め定められた色の照明光を前記光源が発し、前記季節として冬を示す情報が前記属性情報に含まれる場合には、暖色系の色として予め定められた色の照明光を前記光源が発するように前記光源を制御する
請求項１〜７のいずれか１項に記載の照明システム。
【請求項１０】
請求項１〜９のいずれか１項に記載の照明システムを構成する照明器具。 
【発明の詳細な説明】
【技術分野】
【０００１】
本発明は、植物や衣服等の被照射物に適切な照明光を照射する照明システム及び照明器具に関する。
【背景技術】
【０００２】
従来、植物を育成するのに適切な照明光を植物に照射したり、衣服等の展示商品に対して演出効果を高めるのに適切な照明光を照射したりするために、様々な照明システムが提案されている（例えば、特許文献１、２参照）。
【０００３】
特許文献１によれば、照明器具は、植物に光反応を誘発させる光を発する発光部を備えるため、植物において高効率な光反応が行われる。
【０００４】
また、特許文献２によれば、設定リモコンが衣服等の商品に取り付けられた情報タグから色・素材情報を読み出して照明器具に送信することで照明光の光色等を変更するので、照明光の煩わしい調整作業が不要となる。
【先行技術文献】
【特許文献】
【０００５】
【特許文献１】特開２０１５−０２２９８９号公報
【特許文献２】特開２００８−２７００８９号公報
【発明の概要】
【発明が解決しようとする課題】
【０００６】
しかしながら、上記特許文献１の技術では、育成温度を変更する等の理由によって植物の置き場所が変更される場合に対応できないという問題がある。つまり、植物の置き場所が変更される場合には、同じ照明器具によって照明光が照射される植物の品種が変わるために、変更後の植物の品種に合せて照明器具の照射条件（調色、調光、照射時間等）を変更しなければならず、煩わしい調整作業が必要となる。
【０００７】
また、上記特許文献２の技術では、商品に取り付けられた情報タグに基づいて照明器具の調整内容が決定されるものの、照明の対象となる商品を取り替える度に、設定リモコンで情報タグから色・素材情報を読み出して照明器具に送信するという手間がかかる。
【０００８】
そこで、本発明は、上記問題点に鑑みてなされたものであり、被照射物が置き換えられる場合であっても、人手による作業を必要とすることなく、被照射物にとって適切な照明光を被照射物に照射できる照明システム及び照明器具を提供することを目的とする。
【課題を解決するための手段】
【０００９】
上記目的を達成するために、本発明の一形態に係る照明システムは、被照射物に照明光を照射する照明システムであって、前記被照射物に直接又は間接的に取り付けられ、前記被照射物の属性情報が記憶されたＲＦタグと、前記被照射物に照明光を照射する照明器具とを備え、前記照明器具は、照明光を発する光源と、前記ＲＦタグに記憶された前記属性情報を読み出すＲＦタグリーダを有する通信部と、前記ＲＦタグリーダを介して前記ＲＦタグから読み出した前記属性情報に基づいて、前記光源が発する照明光の調光、調色及び照射時間の少なくとも一つを制御する制御部とを有し、前記通信部は、さらに、前記ＲＦタグに情報を書き込むＲＦタグライタを有し、前記制御部は、前記ＲＦタグライタを介して、前記被照射物が置かれた状況に関する関連情報を前記ＲＦタグに書き込む。
【００１０】
また、本発明の一形態に係る照明器具は、上記照明システムを構成する照明器具である。
【発明の効果】
【００１１】
本発明に係る照明システム及び照明器具によれば、被照射物が置き換えられる場合であっても、人手による作業を必要とすることなく、被照射物にとって適切な照明光が被照射物に照射される。
【図面の簡単な説明】
【００１２】
【図１】実施の形態１に係る照明システムの構成を示すブロック図
【図２】図１に示された照明システムを植物工場に適用した例を示す図
【図３】図１に示された照明システムを用いた植物育成の手順例を示す図
【図４】図１に示された制御部が予め記憶している照明パターン表の例を示す図
【図５】実施の形態１に係る照明システムの動作を示すフローチャート
【図６】実施の形態１の変形例に係る照明システムの構成示すブロック図
【図７】実施の形態２に係る照明システムの構成を示すブロック図
【図８】図７に示された照明システムの販売店舗における設置例を示す図
【図９】実施の形態２に係る照明システムの動作を示すフローチャート
【図１０】光源と通信部（ＲＦタグリーダ及びＲＦタグライタ）とを重ねて配置した構造を有する照明器具の外観図
【発明を実施するための形態】
【００１３】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。
【００１４】
（実施の形態１）
まず、植物育成に適用した実施の形態１に係る照明システム１０について説明する。
【００１５】
図１は、実施の形態１に係る照明システム１０の構成を示すブロック図である。
【００１６】
照明システム１０は、被照射物（ここでは、植物２１）に照明光を照射するシステムであって、ＲＦタグ２２、照明器具３０及び検知部４０で構成される。本実施の形態に係る照明システム１０は、パレット２０に置かれた植物２１を被照射物とし、植物２１を育成するために自動で植物２１に照明光を照射するシステムである。
【００１７】
ＲＦタグ２２は、被照射物（ここでは、植物２１）に直接又は間接的（ここでは、植物２１が置かれるパレット２０）に取り付けられたＲＦＩＤ（Radio Frequency IDentification）用のＩＣタグである。ＲＦタグ２２は、例えば、パッシブタグであり、ＲＦタグリーダ３２ａ及びＲＦタグライタ３２ｂからの電波をエネルギー源として動作する。ＲＦタグ２２は、照明器具３０の通信部３２が備えるＲＦタグリーダ３２ａ及びＲＦタグライタ３２ｂとの無線通信によって情報の読み書きがされるメモリを内蔵している。そのメモリには、ＲＦタグ２２が取り付けられたパレット２０に置かれた被照射物（ここでは、植物２１）の属性情報が記憶されている。本実施の形態では、属性情報には、少なくとも、ＲＦタグ２２が取り付けられたパレット２０に置かれた植物２１の種類を示す情報が含まれる。
【００１８】
検知部４０は、植物２１が置かれた環境の温度及び湿度の少なくとも一つを検知するセンサであり、例えば、温度及び湿度を検知するセンサである。
【００１９】
照明器具３０は、植物２１に照明光を照射する器具であり、光源３１、通信部３２、及び、制御部３３を備える。
【００２０】
光源３１は、制御部３３による制御の下で照明光を発するものであり、例えば、電源回路、並びに、電源回路から出力される電流で発光する調色及び調光が可能なＬＥＤ、蛍光灯、電球等の発光体で構成される。
【００２１】
通信部３２は、ＲＦタグ２２に記憶された属性情報等の情報を読み出すＲＦタグリーダ３２ａ、及び、ＲＦタグ２２に情報を書き込むＲＦタグライタ３２ｂを有する。
【００２２】
制御部３３は、光源３１、通信部３２及び検知部４０とやりとり（情報の送信及び／又は受信）をすることで光源３１及び通信部３２を制御する回路である。制御部３３は、例えば、プログラムを格納するＲＯＭ、データを記憶するＲＡＭ、プログラムを実行するプロセッサ、カレンダ・タイマ、周辺回路とやりとりする入出力ポート等を備えるマイクロコンピュータ等によって実現される。
【００２３】
より詳しくは、機能的には、制御部３３は、ＲＦタグリーダ３２ａを介してＲＦタグ２２から読み出した属性情報に基づいて、光源３１が発する照明光の調光、調色及び照射時間の少なくとも一つを制御する。つまり、属性情報が照明光の条件（つまり、照明レシピ）を決定づける制御情報（つまり、制御レシピ）の一つとなる。また、制御部３３は、ＲＦタグライタ３２ｂを介して、植物２１が置かれた状況に関する関連情報をＲＦタグ２２に書き込む。具体的には、制御部３３は、植物２１に照射した照明光の調光、調色及び照射時間の少なくとも一つを特定する情報を、関連情報として、ＲＦタグ２２に書き込む。さらに、制御部３３は、検知部４０によって検知された温度及び湿度の少なくとも一つを示す情報を、関連情報として、ＲＦタグ２２に書き込む。
【００２４】
また、制御部３３は、ＲＦタグリーダ３２ａを介して、ＲＦタグ２２に記憶された属性情報及び関連情報を読み出し、読み出した属性情報及び関連情報に基づいて、光源３１が発する照明光の調光、調色及び照射時間の少なくとも一つを制御する。このとき、制御部３３は、少なくとも属性情報に基づいて、光源３１が演出照明として予め定められた照明光、又は、生体反応照明（植物の育成を促進する照明）として予め定められた照明光を発するように光源３１を制御することもできる。具体的には、制御部３３は、少なくとも属性情報に基づいて、調光及び調色の少なくとも一つの時間変化で定義される複数の予め定められた照明パターンから選択した一つ照明パターンで光源３１が照明光を発するように光源３１を制御することもできる。例えば、植物の生長期には高い色温度の照明光を照射して光合成を促進し、植物の開花期には低い色温度の照明光を照射する等である。
【００２５】
図２は、図１に示された照明システム１０を植物工場に適用した例を示す図である。
【００２６】
図２の（ａ）では、複数の照明器具３０が設置された室内に、複数の苗が置かれたパレット（図示せず）が縦横に複数、敷き詰めるように並べて配置されることで、植物２１の苗床が構成される様子が示されている。また、図２の（ｂ）では、植物２１の苗が置かれる多段式の栽培棚２０ａが図示されている。栽培棚２０ａは、植物２１の苗を置くパレットとして用いられたり、複数の植物２１の苗が置かれたパレットが載置される棚として用いられたりする。栽培棚２０ａの各段の上方には、その段に置かれた苗に照明光を照射する照明器具３０が設けられている。
【００２７】
図３は、図１に示された照明システム１０を用いた植物育成の手順例を示す図である。
【００２８】
まず、図３の（ａ）に示されるように、植物育成の運営者は、多品種の植物を育成するために、一つのパレット２０に同一品種の種植えを行うことで、パレット２０ごと（つまり、苗床ごと）に種植えを行う。
【００２９】
そして、図３の（ｂ）に示されるように、パレット２０ごとに、ＲＦタグ２２を取り付け、ＲＦタグリーダ・ライタ１２を用いて、そのパレット２０の種植えに関する情報（植物２１の種類、種植えした時期）を属性情報としてＲＦタグ２２に書き込む。
【００３０】
次に、図３の（ｃ）に示されるように、属性情報の書き込みを終えた全てのパレット２０を、照明器具３０が設置された植物工場に配置する。なお、植物工場に設置された照明器具３０のそれぞれでは、予め、制御部３３がＲＦタグリーダ３２ａを介してＲＦタグ２２から属性情報を読み出すことを一定周期で繰り返している。これにより、制御部３３は、照明器具３０の下にＲＦタグ２２が取り付けられた新しいパレット２０が置かれた否かを監視している。
【００３１】
照明器具３０の下に新しいパレット２０が置かれると、制御部３３は、パレット２０に取り付けられたＲＦタグ２２から属性情報（植物の種類、種植えした時期）を読み出す。そして、制御部３３は、読み出した属性情報を、内部に記憶している図４に示されるような照明パターン表３４と照合することで、属性情報に対応した照明パターンを選択し、選択した照明パターンで光源３１が照明光を発するように光源３１を制御する。図４は、制御部３３が予め記憶している照明パターン表３４の例を示す図である。照明パターン表は、属性情報（植物の種類、種植えした時期）と照明パターン番号との対応を示す表（図４の（ａ））、及び、照明パターン番号と照明パターンの詳細（調光及び調色の少なくとも一つの時間変化）との対応を示す表（図４の（ｂ））で構成される。制御部３３は、図４の（ａ）に示された表を参照することで、ＲＦタグ２２から読み出した属性情報（植物の種類、種植えした時期）に一致する照明パターン番号を特定する。そして、制御部３３は、図４の（ｂ）に示された表を参照することで、特定した照明パターン番号に対応する照明パターン（１年における時期と調色及び調光との対応）を特定し、特定した照明パターンで照明光を発するように光源３１を制御する。例えば、ＲＦタグ２２から読み出した属性情報が「植物の種類」として「グリーンリーフレタス」を示し、「種植えした時期」として「３月」を示している場合には、制御部３３は、照明パターン番号「１」に対応する照明制御を行う。つまり、制御部３３は、内蔵のカレンダ・タイマを参照することで、３月〜１０月では６０００Ｋの調色で、かつ、１００％の調光となるように、光源３１を制御し、１１月〜２月では５０００Ｋの調色で、かつ、８０％の調光となるように、光源３１を制御する。
【００３２】
さらに、図３の（ｃ）に示されるように、植物２１の育成中に、制御部３３は、ＲＦタグライタ３２ｂを介して、植物２１が置かれた状況に関する関連情報をＲＦタグ２２に書き込む。より詳しくは、制御部３３は、植物２１に照射した照明光の調光、調色及び照射時間の少なくとも一つを特定する情報、及び、検知部４０によって検知された温度及び湿度の少なくとも一つを示す情報を、関連情報として、ＲＦタグ２２に書き込む。例えば、制御部３３は、一日に一回、照射した照明光の調光、調色、照射時間、温度（一日における最高温度、最低温度、あるいは平均温度）、湿度（一日における最高湿度、最低湿度、あるいは平均湿度）を関連情報としてＲＦタグ２２に書き込む。
【００３３】
最後に、図３の（ｄ）に示されるように、植物２１の育成が完了したとき、あるいは、植物２１の育成情報を読み出したいときに、植物育成の運営者は、ＲＦタグリーダ・ライタ１２を用いてＲＦタグ２２に記憶された属性情報及び関連情報を読み出す。そして、運営者は、読み出した属性情報及び関連情報によって特定される育成条件について、実際の植物２１の育成状態と対応づけて、ビッグデータ等として蓄積して解析することで、読み出した属性情報及び関連情報を次の育成計画に活用する。
【００３４】
なお、図３の（ｃ）に示される植物の育成中において、照明器具３０の下に置かれるパレット２０が変更された場合には、照明器具３０から発せられる照明光は、変更後のパレット２０に置かれた植物２１に合う照明光に自動的に変更される。図５は、照明器具３０の下に置かれるパレット２０が変更された場合における照明システム１０（より特定的には、照明器具３０の制御部３３）の動作を示すフローチャートである。制御部３３は、ＲＦタグリーダ３２ａを介してＲＦタグ２２から属性情報を読み出すことを一定周期（例えば、一日に一回）で繰り返している（Ｓ１０）。そして、制御部３３は、今読み出した属性情報と直前に読み出した属性情報とが一致するか否かを判断することで、属性情報が変更されたか否か、つまり、照明器具３０の下に置かれたパレット２０が変更されたか否かを判断する（Ｓ１１）。その結果、制御部３３は、変更されたと判断した場合には（Ｓ１１でＹｅｓ）、照明パターン表３４を参照することで、変更後の属性情報に対応した照明パターンを選択し、選択した照明パターンで照明光が照射されるように光源３１を制御する（Ｓ１２）。一方、制御部３３は、変更されていないと判断した場合には（Ｓ１１でＮｏ）、これまでと同じ照明制御を継続する（Ｓ１３）。
【００３５】
以上のように、本実施の形態に係る照明システム１０は、被照射物（ここでは、植物２１、あるいは、植物２１の苗）に照明光を照射する照明システム１０であって、被照射物に直接又は間接的に取り付けられ、被照射物の属性情報が記憶されたＲＦタグ２２と、被照射物に照明光を照射する照明器具３０とを備える。照明器具３０は、照明光を発する光源３１と、ＲＦタグ２２に記憶された属性情報を読み出すＲＦタグリーダ３２ａを有する通信部３２と、ＲＦタグリーダ３２ａを介してＲＦタグ２２から読み出した属性情報に基づいて、光源３１が発する照明光の調光、調色及び照射時間の少なくとも一つを制御する制御部３３とを有する。
【００３６】
これにより、被照射物に取り付けられたＲＦタグ２２に記憶された被照射物の属性情報は、照明器具３０が備えるＲＦタグリーダ３２ａによって読み出され、読み出された属性情報に基づいて、照明器具３０の光源３１が発する照明光が制御される。よって、育成温度を変更する等の理由によって、被照射物が置き換えられた場合であっても、置き換え後の被照射物に合った照明光が自動的に選択されて照射される。
【００３７】
また、設定リモコン等を介することなく、照明器具３０が備えるＲＦタグリーダ３２ａによって読み出されて照明光が調整されるので、照明光を調整する手間がかからない。その結果、被照射物が置き換えられる場合であっても、人手による作業を必要とすることなく、被照射物にとって適切な照明光を被照射物に照射できる照明システム１０が実現される。
【００３８】
さらに、属性情報が格納される記憶媒体として、光で読み取られるＱＲコード（登録商標）やバーコード等のラベルと異なり、電波で読み取られるＲＦタグが用いられている。よって、植物の葉等で記憶媒体が隠れた場合であっても、支障なく、確実に属性情報が照明器具３０に読み出される。
【００３９】
また、通信部３２は、さらに、ＲＦタグ２２に情報を書き込むＲＦタグライタ３２ｂを有する。そして、制御部３３は、ＲＦタグライタ３２ｂを介して、被照射物が置かれた状況に関する関連情報をＲＦタグ２２に書き込む。
【００４０】
これにより、被照射物に取り付けられたＲＦタグ２２に対して、照明器具３０が備えるＲＦタグライタ３２ｂを介して、被照射物が置かれた状況に関する関連情報が書き込まれる。よって、被照射物が置かれた状況が履歴としてＲＦタグ２２に記録され、被照射物が置かれた状況と被照射物の状態（育成状態、販売状況等）との関連について解析することが可能になる。
【００４１】
また、制御部３３は、被照射物に照射した照明光の調光、調色及び照射時間の少なくとも一つを特定する情報を、関連情報として、ＲＦタグ２２に書き込む。
【００４２】
これにより、被照射物に照射した照明光の調光、調色及び照射時間の少なくとも一つを特定する情報がＲＦタグ２２に書き込まれる。よって、被照射物が受けた照明光の態様が履歴としてＲＦタグ２２に記録され、被照射物が受けた照明光の態様と被照射物の状態（育成状態、販売状況等）との関連について解析することが可能になる。
【００４３】
また、照明システム１０は、さらに、被照射物が置かれた環境の温度及び湿度の少なくとも一つを検知する検知部４０を備える。制御部３３は、検知部４０によって検知された温度及び湿度の少なくとも一つを示す情報を、関連情報として、ＲＦタグ２２に書き込む。
【００４４】
これにより、被照射物が置かれた環境の温度及び湿度の少なくとも一つを示す情報がＲＦタグ２２に書き込まれる。よって、被照射物が置かれた環境が履歴としてＲＦタグ２２に記録され、被照射物が置かれた環境と被照射物の状態（育成状態、販売状況等）との関連について解析することが可能になる。
【００４５】
また、制御部３３は、少なくとも属性情報に基づいて、光源３１が演出照明として予め定められた照明光、又は、生体反応照明として予め定められた照明光を発するように光源３１を制御する。
【００４６】
これにより、被照射物に取り付けられたＲＦタグ２２に記憶された属性情報に基づいて、演出照明又は生体反応照明が行われ、商品の展示に好適な照明、又は、植物等の生物の育成に好適な照明が行われる。
【００４７】
また、制御部３３は、少なくとも属性情報に基づいて、調光及び調色の少なくとも一つの時間変化で定義される複数の予め定められた照明パターンから選択した一つ照明パターンで光源３１が照明光を発するように光源３１を制御する。
【００４８】
これにより、被照射物に取り付けられたＲＦタグ２２に記憶された属性情報に基づいて、時間経過を考慮した適切な照明パターンによる照明が行われる。
【００４９】
なお、上記実施の形態では、植物２１の育成中にＲＦタグ２２に書き込まれた関連情報は、次の育成計画に活用されたが、関連情報の活用方法としては、これに限られず、照明制御に活用されてもよい。つまり、制御部３３は、ＲＦタグリーダ３２ａを介して、ＲＦタグ２２に記憶された属性情報及び関連情報を読み出し、読み出した属性情報及び関連情報に基づいて、光源３１が発する照明光の調光、調色及び照射時間の少なくとも一つを制御してもよい。例えば、制御部３３は、ＲＦタグ２２から読み出した関連情報に含まれる過去の温度を示す情報を参照することで、平年並みの温度よりも低い日が一定日数を超えたことを検知した場合に、照明光の調光を上げるように光源３１を制御してもよい。
【００５０】
これにより、ＲＦタグ２２に予め記憶されていた属性情報だけでなく、事後的に書き込まれた関連情報に基づいて照明光が制御されるので、ＲＦタグ２２に事後的に書き込まれた各種情報に依存した動的な照明制御が可能になる。
【００５１】
なお、上記実施の形態１における照明システム１０に、図６に示されるように、被照射物が置かれた環境を調節する環境調節部４２が備えられてもよい。図６は、このような実施の形態１の変形例に係る照明システムの構成示すブロック図である。ここでは、図１に示された照明システム１０に環境調節部４２が追加された、実施の形態１の変形例に係る照明システムが図示されている。
【００５２】
環境調節部４２は、被照射物が置かれた環境（例えば、周囲の温度、周囲の湿度、被照射物に与える水分又は栄養剤の量又は濃度の少なくとも一つ）を調節する装置であり、例えば、エアコン、散水機、水又は栄養剤供給機等である。制御部３３は、ＲＦタグ２２から読み出した属性情報、及び／又は、検知部４０によって検知された温度及び湿度（あるいは、関連情報）に基づいて、環境調節部４２を制御することで、被照射物が置かれた環境を制御する。例えば、制御部３３は、属性情報に目標温度及び目標湿度を示す環境情報が含まれる場合には、検知部４０によって検知される温度及び湿度が、環境情報が示す目標温度及び目標湿度となるように、環境調節部４２を制御する。
【００５３】
これにより、被照射物に照射する照明光だけでなく、被照射物が置かれた環境（周囲温度及び周囲湿度等）も調節され、被照射物の育成や展示等のためのより好適な環境が照明システムによって維持される。
【００５４】
また、上記実施の形態１における照明システム１０又は照明器具３０に、植物２１を撮影するカメラを設け、植物２１の育成中においてカメラによって植物２１を撮像し、得られた画像を、関連情報として、対応するＲＦタグ２２に書き込んでもよい。これにより、植物２１の育成に関する詳細な状態が記録されることで、植物２１が受けた照明光の態様と植物２１の育成状態との関連について、事後的に解析することが可能になる。
【００５５】
また、上記実施の形態１において、パレット２０は、一般にパレットと呼ばれる物に限られず、植物２１が置かれる、又は、植えられるものであれば何でもよい。例えば、トレイ、棚、載置台、ボード、苗床、鉢、容器等と呼ばれる物であってもよい。
【００５６】
（実施の形態２）
上記実施の形態１では、植物育成に適用した照明システム１０の例が説明されたが、本発明に係る照明システムは、これに限られず、衣服（アパレル）の販売店舗にも適用できる。以下、本発明に係る照明システムを衣服の販売店舗に適用した例を実施の形態２として、説明する。
【００５７】
図７は、衣服の販売店舗に適用した実施の形態２に係る照明システム１０ａの構成を示すブロック図である。図８は、図７に示された照明システム１０ａの販売店舗における設置例を示す図である。
【００５８】
照明システム１０ａは、被照射物（ここでは、衣服２５）に照明光を照射するシステムであって、ＲＦタグ２２ａ及び照明器具３０ａで構成される。本実施の形態に係る照明システム１０ａは、店舗に展示された衣服２５を被照射物とし、自動で、展示の演出効果を高めるために適切な照明光を衣服２５に照射するシステムである。なお、ＲＦタグ２２ａ及び照明器具３０ａは、基本的な構成については、それぞれ、実施の形態１におけるＲＦタグ２２及び照明器具３０と同じである。以下、実施の形態１と同じ構成要素には、同じ符号を付し、実施の形態１と異なる点を中心に説明する。
【００５９】
ＲＦタグ２２ａは、被照射物（ここでは、衣服２５）に直接又は間接的に取り付けられた（ここでは、衣服２５に紐等で留められた）ＲＦＩＤ用のＩＣタグである。ＲＦタグ２２ａは、メモリを内蔵しており、そのメモリには、ＲＦタグ２２ａが取り付けられた被照射物（ここでは、衣服２５）の属性情報が記憶されている。属性情報には、少なくとも、ＲＦタグ２２ａが取り付けられた衣服２５を着用するのに好ましい季節を示す情報（例えば、「夏服」、「冬服」等）が含まれる。
【００６０】
照明器具３０ａは、衣服２５に照明光を照射する器具であり、光源３１、通信部３２、及び、制御部３３ａを備える。光源３１及び通信部３２は、実施の形態１におけるものと同じである。ただし、通信部３２が有するＲＦタグリーダ３２ａは、本実施の形態では、複数のＲＦタグ２２ａを一括して読み出す機能（アンチ・コリジョン機能）を有する。
【００６１】
制御部３３ａは、基本的な機能及びハードウェア構成については、実施の形態１の制御部３３と同じである。ただし、本実施の形態では、制御部３３ａは、ＲＦタグリーダ３２ａを介して、ＲＦタグ２２ａに記憶された属性情報を読み出し、読み出した属性情報に基づいて、光源３１が演出照明として予め定められた照明光を発するように光源３１を制御する。
【００６２】
より詳しくは、制御部３３ａは、ＲＦタグ２２ａから読み出した属性情報に、衣服２５を着用するのに好ましい季節として夏を示す情報（例えば、「夏用」）が含まれる場合には、寒色系の色として予め定められた色の照明光を発するように光源３１を制御する。一方、ＲＦタグ２２ａから読み出した属性情報に、衣服２５を着用するのに好ましい季節として冬を示す情報（例えば、「冬用」）が含まれる場合には、制御部３３ａは、暖色系の色として予め定められた色の照明光を発するように光源３１を制御する。
【００６３】
図９は、実施の形態２に係る照明システム１０ａの動作を示すフローチャートである。ここでは、照明器具３０ａの下に、複数の衣服２５（それぞれにＲＦタグ２２ａが取り付けられた衣服２５）が展示され、それら複数の衣服２５の少なくとも一つが他の衣服と入れ換えられた場合における照明器具３０ａの動作手順が示されている。
【００６４】
なお、照明器具３０ａにおいて、制御部３３ａは、実施の形態１と同様に、ＲＦタグリーダ３２ａを介して複数の衣服２５に取り付けられた複数のＲＦタグ２２ａから属性情報を読み出すことを一定周期で繰り返している。そして、制御部３３ａは、今読み出した全ての属性情報と直前に読み出した全ての属性情報とが完全に一致するか否かを判断し、そうでないと判断した場合に、複数の衣服２５の少なくとも一部が変更されたと判断し、以下の処理を行う。
【００６５】
まず、制御部３３ａは、ＲＦタグリーダ３２ａを介して全てのＲＦタグ２２ａから属性情報を読み出す（情報取得モードＳ２０）。そして、制御部３３ａは、読み出した属性情報のそれぞれについて、季節を示す情報を参照することで、衣服２５のそれぞれについて、夏物、冬物、それ以外（春物、冬物）のいずれであるかの種別を特定する（情報選別モードＳ２１）。
【００６６】
続いて、制御部３３ａは、特定した種別に従って、照明光のモードを選択し（照明光のモード選択Ｓ２２）、選択したモードに応じて光源３１を制御することで、照明光を調整する（照明の色制御モード１（Ｓ２３）、照明の色制御モード２（Ｓ２４）、照明の色制御モード３（Ｓ２５））。
【００６７】
具体的には、制御部３３ａは、上記情報選別モードＳ２１において、夏物衣料が多いと判断した場合（例えば、特定した種別のうち予め定められた第１割合を超えるものが夏物である場合）には（ステップＳ２２で「夏物衣料が多い」）、次の制御を行う。つまり、制御部３３ａは、すずしげな寒色系の色として予め定められた色（例えば、色温度が５０００Ｋを超える色）の照明光を発するように光源３１を制御（調整）する。
【００６８】
一方、上記情報選別モードＳ２１において、冬物衣料が多いと判断した場合（例えば、特定した種別のうち予め定められた割合を超えるものが冬物である場合）には（ステップＳ２２で「冬物衣料が多い」）、制御部３３ａは、次の制御を行う。つまり、制御部３３ａは、暖かそうな暖色系の色として予め定められた色（例えば、色温度が４０００Ｋ未満の色）の照明光を発するように光源３１を制御（調整）する。
【００６９】
さらに、上記情報選別モードＳ２１において、「夏物衣料が多い」にも「冬物衣料が多い」にも該当しないと判断した場合には（ステップＳ２２で「その他の衣料が多い」）、制御部３３ａは、次の制御を行う。つまり、制御部３３ａは、現在の季節が秋又は春と判断し、中間色の色調（例えば、色温度が４０００Ｋ以上５０００Ｋ以下の色）の照明光を発するように光源３１を制御（調整）する。あるいは、外気温によって売れ筋の衣服が変わることに対応するために、照明システム１０ａに、実施の形態１で説明した検知部４０を設けておき、制御部３３ａは、検知部４０を介して取得した外気温に依存して照明光の色調を変化させてもよい。例えば、制御部３３ａは、外気温が所定値よりも低い場合に暖色系の照明光を発し、外気温が所定値よりも高い場合に寒色系の照明光を発するように、光源３１を制御（調整）してもよい。
【００７０】
以上のように、本実施の形態に係る照明システム１０ａでは、制御部３３ａは、少なくとも属性情報に基づいて、光源３１が演出照明として予め定められた照明光を発するように光源３１を制御する。
【００７１】
これにより、被照射物に取り付けられたＲＦタグ２２ａに記憶された属性情報に基づいて、演出照明が行われ、商品の展示の演出効果を高められ、商品の販売が促進される。
【００７２】
また、本実施の形態では、被照射物は、衣服であり、属性情報は、少なくとも衣服を着用するのに好ましい季節を示す情報を含む。制御部３３ａは、季節として夏を示す情報が属性情報に含まれる場合には、寒色系の色として予め定められた色の照明光を光源３１が発するように光源３１を制御する。また、制御部３３ａは、季節として冬を示す情報が属性情報に含まれる場合には、暖色系の色として予め定められた色の照明光を光源３１が発するように光源３１を制御する。
【００７３】
これにより、展示する衣服を夏物と冬物とで入れ換えた場合であっても、人手による作業を必要とすることなく、演出効果の高い適切な照明光が衣服に照射される。
【００７４】
なお、本実施の形態では、販売店舗に展示される衣服に演出照明を行う照明システム１０ａが説明されたが、演出照明の対象は、これに限られず、看板、装飾品、食品等の人の目に触れる物であれば、何でもよい。例えば、食品店舗におけるスポット照明によって、食品に取り付けられたＲＦタグに記憶された属性情報に応じて、トマトやリンゴには赤みを目立たせる色調の照明光を照射し、緑の葉物の野菜には緑を目立たせる色調の照明光を照射してもよい。これにより、販売される食品が変わっても、現実に販売されている食品に好適な光環境が自動で構築される。
【００７５】
以上、本発明の照明システム及び照明器具について、実施の形態１及び２並びに変形例に基づいて説明したが、本発明は、これらの実施の形態及び変形例に限定されるものではない。本発明の主旨を逸脱しない限り、当業者が思いつく各種変形を実施の形態及び変形例に施したものや、実施の形態及び変形例における一部の構成要素を組み合わせて構築される別の形態も、本発明に含まれる。
【００７６】
例えば、上記実施の形態では、図１、図６及び図７のブロック図に示されるように、照明器具において、光源３１と通信部３２（ＲＦタグリーダ３２ａ及びＲＦタグライタ３２ｂ）とは、横に並べられるように配置された。しかしながら、光源３１と通信部３２とは、図１０に示されるように、重ねて配置されてもよい。
【００７７】
図１０は、光源３１と通信部３２（ＲＦタグリーダ３２ａ及びＲＦタグライタ３２ｂ）とを重ねて配置した構造を有する照明器具（３０、３０ａ）の外観図である。ここでは、ＲＦタグリーダ３２ａ及びＲＦタグライタ３２ｂは、シリンドリカル形状の光源３１の上面に貼り付けられている。光源３１の上面は、金属製の平板で構成されているが、その上面のうち、ＲＦタグリーダ３２ａ及びＲＦタグライタ３２ｂが貼り付けられる箇所の一部領域（図示せず）には、電波が通過する孔が設けられている。なお、光源３１の下面を構成する曲面は、電波が通過する樹脂で構成されている。
【００７８】
このような構造を有する照明器具により、照明光の照射範囲とＲＦタグリーダ及びＲＦタグライタによって読み書きできる空間の範囲とが略同じになる。よって、ＲＦタグリーダ及びＲＦタグライタによって読み書きできる空間の範囲の「見える化（可視化）」が可能になり、照明システムの設置及び管理が容易になる。また、このような構造を有する照明器具により、ＲＦタグリーダ及びＲＦタグライタを単独で天井等に取り付ける場合に比べ、天井の美観を損なうことが抑制される。
【００７９】
また、上記実施の形態１及び２における照明システムでは、照明器具を操作するリモコン等の操作端末が明示されなかったが、このような操作端末が照明システムに含まれてもよい。その場合には、操作端末からの指示によって、ＲＦタグリーダ３２ａ及びＲＦタグライタ３２ｂを介してＲＦタグから情報を読み出したりＲＦタグに情報を書き込んだりしてもよい。これにより、植物の育成中、あるいは、商品の展示中に、操作端末を介してＲＦタグに記憶された属性情報を確認したり、属性情報を書き換えることで照明器具による照明光をより適切なものに変更したりすることができる。
【００８０】
また、上記実施の形態１及び２では、照明器具は、ＲＦタグに記憶された属性情報等に応じて照明光の調光及び調色を制御したが、これらに加えて、あるいは、代えて、照明光の配光（照射光が発せられる方向）を制御してもよい。これにより、被照射物の属性に応じて、演出効果を変えたりすることが可能になる。
【符号の説明】
【００８１】
１０、１０ａ  照明システム
２０  パレット
２１  植物
２２、２２ａ  ＲＦタグ
２５  衣服
３０、３０ａ  照明器具
３１  光源
３２  通信部
３２ａ  ＲＦタグリーダ
３２ｂ  ＲＦタグライタ
３３、３３ａ  制御部
３４  照明パターン表
４０  検知部
４２  環境調節部
【図１】
0006653474.tif 000002
【図２】
0006653474.tif 000003
【図３】
0006653474.tif 000004
【図４】
0006653474.tif 000005
【図５】
0006653474.tif 000006
【図６】
0006653474.tif 000007
【図７】
0006653474.tif 000008
【図８】
0006653474.tif 000009
【図９】
0006653474.tif 000010
【図１０】
0006653474.tif 000011